(57)【要約】【課題】本発明の課題は、床下や壁の中に設けられた給水管の漏水箇所を低コストで容易に特定することができる漏水検知具及び検知方法を提供することである。【解決手段】本発明の給水管の漏水検知具は、建物等の建設又は補修時に建物等に埋設される給水管の分岐箇所の下流部分に設置され、羽根車等を用いた流量計と、建物等の外装から流量計の流水の有無を目視可能にするために、グラスロット又は光ファイバー或いは被覆の付いた光ファイバケーブルによる光伝達具と、流量計の面の像光を光伝達具の一方端に集光するレンズと、他方端から放光するレンズとを備えて、流量計の下流側に付設した止水栓を閉じた状態での流量計の流れの有無を光伝達具とレンズを通じて目視することで漏水管を検知する。【選択図】図１
2014106031.tif 000002
【特許請求の範囲】
【請求項１】
流水により回転する羽根車を用いた流量計と、グラスロット又は光ファイバー又は被覆の付いた光ファイバケーブルによる光伝達具と二つのレンズとを備え、前記流量計は、構築物の構築又は補修時に構築物に埋設される給水管の分岐箇所の下流部分に設置されるものであって、前記羽根車又はこの回転により回転する回転片の動きを監視可能な目視表示部を有し、
前記光伝達具と前記レンズは、前記構築物の外装面から前記流量計の流水の有無を目視可能にするために、前記流量計と前記構築物の外装面との間に挿入されるものであって、
前記光伝達具の一端は、該一端に前記流量計の前記目視表示部の像光を集光する前記レンズを備え、前記光伝達具の他端は、該他端から前記構築物の外装側に放光するレンズを備え、
前記流量計の下流側に付設した止水栓を閉じた状態で前記流量計の流れの有無を前記光伝達具と前記レンズを通じて目視することで、前記構築物に埋設された前記給水管の漏水部を前記構築物の外装面から検知することを特徴とする給水管の漏水検知具。
【請求項２】
前記流量計と前記構築物の外装面の間に、この間を連通する中空穴を有するガイド管を備えたことで、前記光伝達具と前記レンズは、漏水が想定される必要な監視時のみに挿入可能とし、常時は設置されていないことを特徴とする請求項１記載の給水管の漏水検知具。
【請求項３】
前記伝達具と前記レンズのユニットには、これを前記目視用表示部上に押し込み、引き出すことが容易なように挿入棒が備えられることを特徴とする請求項１又は請求項２のいずれか１つに記載の給水管の漏水検知具。
【請求項４】
前記伝達具と前記レンズのユニットには、前記ガイド管内に挿入できる径を有し、前記伝達具と前記レンズのユニットを収容しカバーするための管状カバーを備えたことを特徴とする請求項２又は請求項３のいずれか１つに記載の給水管の漏水検知具。
【請求項５】
流水により回転する羽根車又はこの回転により回転する回転片による動きを監視可能な目視表示部を備えた流量計を構築物の構築又は補修時に構築物に埋設される給水管の分岐箇所の下流部分に設置し、前記給水管での漏水が疑われるときに、前記流量計の下流側に付設した止水栓を閉じた状態で、
グラスロット又は光ファイバー又は被覆の付いた光ファイバケーブルによる光伝達具と二つのレンズのユニットで、
前記光伝達具の一端は、該一端に前記流量計の前記目視表示部の像光を集光する前記レンズを備え、前記光伝達具の他端は、該他端から前記構築物の外装側に放光するレンズを備えたものであって、前記流量計と前記構築物の外装面との間に挿入されたものを通じて
前記流量計の流れの有無を目視することで、前記構築物に埋設された前記給水管の漏水部を前記構築物の外装面から検知することを特徴とする給水管の漏水検知方法。
【発明の詳細な説明】
【技術分野】
【０００１】
本発明は、給水管の水漏れ箇所を検知する漏水検知具及びこれを使用した漏水検知方法に関するものである。
【背景技術】
【０００２】
従来、住宅内において給水管の水漏れしている箇所を検知するには、漏水箇所で発生する漏水音を聴診器や増幅器等を用いて検知し、漏水箇所を特定する手段が多く用いられていた。しかし、近年、普及が著しいポリエチレン等の非金属素材の給水管においては、金属管と比べて漏水音が伝達しづらいため、水漏れ箇所を正確に特定することが難しいのが実情である。そのような中、実際の現場においては、前記方法と並行してファイバースコープ等を用いて床下や壁中を目視することによって漏水箇所の特定を行っている。しかし、この方法では修理を行う者の経験則に左右されることが多く、十分に経験を積んだ者であっても漏水箇所をなかなか特定することができずに多大な時間と労力を要する場合も生じていた。更に、漏水箇所の漏水のしみだしを直接、ファイバースコープ等で見ることは、極めて困難で、予想を付けて建物等の構築物に観測穴を開けなければならず、漏水量が極めて少なくて漏水音が小さい場合は、見当を付けた漏水箇所が見当外れであったり、見えない箇所であったりすると全く役に立たない場合が多かった。
【０００３】
また、その他の検知方法として、配管内に無害なヘリウムガスを注入し漏水孔から漏れるガスを検知する方法や、水道メーターのバルブを閉じて蛇口から圧縮空気を送ることによって漏水音を大きくして捉える方法、いずれも実施する場合には手間と時間がかかり、依頼主の負担が増大するという欠点があった。
【０００４】
そのような事から、図４の４−Ａが特許文献１に示されている。複数備えた振動センサで漏水音を検知して漏水箇所を特定することが考案されている。また、図４の４−Ｂに示した特許文献２では、漏水の検出手段として各分岐供給管に流れる水量に応じて電気信号を発生するパルス発信式の量水器を備えたものが考案されている。いずれも複数個所で得た値を集約処理して漏水箇所を特定する為、１つのセンサが誤動作を起すことにより正確に漏水箇所を特定することができなくなる。つまり、湿度・温度などの環境が様々に異なる箇所へ設置されたセンサの誤動作防止が不可欠であり、各センサへの給電やメンテナンスを含む維持管理にコストがかかるという欠点があった。
【先行技術文献】
【特許文献】
【０００５】
【特許文献１】特許３７１８７４０
【特許文献２】特願平６−１２５３６３
【発明の概要】
【発明が解決しようとする課題】
【０００６】
本発明の課題は、床下や壁の中に設けられた給水管の漏水管又は箇所を低コストで容易に特定することができる漏水検知具及びこれを使用した漏水検知方法を提供することである。
【課題を解決するための手段】
【０００７】
本発明の給水管の水漏れ検知具は、建物等の構築物に埋設される給水管の分岐箇所の下流部分のそれぞれに設置した羽根車等を用いた流水していることが目視できる流量計と、流量計の流水の有無を目視できるように、グラスロット又は光ファイバー或いは被覆の付いた光ファイバケーブルによる光伝達具と、流量計の面の像光を光伝達具の一方端に集光するレンズと、他方端から放光するレンズとを備えて、流量計の下流側に付設した止水栓を閉じた状態での流量計の流れがあるかどうかを光伝達具を通じて、建物等の構築物の外装面から目視することで漏水管を検知することを特徴としている。以下、請求項に沿って記述する。
【０００８】
請求項１記載の発明は、給水管の漏水検知具であって、
流水により回転する羽根車を用いた流量計と、グラスロット又は光ファイバー又は被覆の付いた光ファイバケーブルによる光伝達具と二つのレンズとを備え、前記流量計は、構築物の構築又は補修時に構築物に埋設される給水管の分岐箇所の下流部分に設置されるものであって、前記羽根車又はこの回転により回転する回転片の動きを監視可能な目視表示部を有し、
前記光伝達具と前記レンズは、前記構築物の外装面から前記流量計の流水の有無を目視可能にするために、前記流量計と前記構築物の外装面との間に挿入されるものであって、
前記光伝達具の一端は、該一端に前記流量計の前記目視表示部の像光を集光する前記レンズを備え、前記光伝達具の他端は、該他端から前記構築物の外装側に放光するレンズを備え、
前記流量計の下流側に付設した止水栓を閉じた状態で前記流量計の流れの有無を前記光伝達具と前記レンズを通じて目視することで、前記構築物に埋設された前記給水管の漏水部を前記構築物の外装面から検知することを特徴とする。
【０００９】
請求項２記載の発明は、請求項１記載の給水管の漏水検知具において、
前記流量計と前記構築物の外装面の間に、この間を連通する中空穴を有するガイド管を備えたことで、前記光伝達具と前記レンズは、漏水が想定される必要な監視時のみに挿入可能とし、常時は設置されていないことを特徴とする。
【００１０】
請求項３記載の発明は、請求項１又は請求項２のいずれか１つに記載の給水管の漏水検知具において、前記伝達具と前記レンズのユニットには、これを前記目視用表示部上に押し込み、引き出すことが容易なように挿入棒が備えられることを特徴とする。
【００１１】
請求項４記載の発明は、請求項２又は請求項３のいずれか１つに記載の給水管の漏水検知具において、
前記伝達具と前記レンズのユニットには、前記ガイド管内に挿入できる径を有し、前記伝達具と前記レンズのユニットを収容しカバーするための管状カバーを備えたことを特徴とする。
【００１２】
請求項５記載の発明は、給水管の漏水検知方法であって、
流水により回転する羽根車又はこの回転により回転する回転片による動きを監視可能な目視表示部を備えた流量計を構築物の構築又は補修時に構築物に埋設される給水管の分岐箇所の下流部分に設置し、前記給水管での漏水が疑われるときに、前記流量計の下流側に付設した止水栓を閉じた状態で、
グラスロット又は光ファイバ又は被覆の付いた光ファイバケーブルによる光伝達具と二つのレンズのユニットで、
前記光伝達具の一端は、該一端に前記流量計の前記目視表示部の像光を集光する前記レンズを備え、前記光伝達具の他端は、該他端から前記構築物の外装側に放光するレンズを備えたものであって、前記流量計と前記構築物の外装面との間に挿入されたものを通じて
前記流量計の流れの有無を目視することで、前記構築物に埋設された前記給水管の漏水部を前記構築物の外装面から検知することを特徴とする。
【発明の効果】
【００１３】
以上の様に構成されているので、本発明による給水管の漏水検知具及びこれを利用した漏水検知方法では、建物等の構築物の構築時に各分岐に流量計を入れて建物等の構築物の外装から目視できるようにしておけば、漏水が疑われる時、流量計の下流にある全ての末端蛇口を閉めて各々の流量計の動きを目視確認することで漏水管を容易に特定することができる。
【図面の簡単な説明】
【００１４】
【図１】本発明に係る給水管の漏水検知具の一実施態様を示す図である。
【図２】本発明に係る給水管の漏水検知具の別の実施態様を示す図である。
【図３】本発明に係る給水管の漏水検知具及び検知方法を敷地内の給水管の分岐部の下流側に適用した漏水部検知の一実施態様を表した図である。
【図４】従来の給水管の漏水検知具及び検知方法を示す図である。
【発明を実施するための形態】
【００１５】
本発明による給水管の漏水検知具及び検知方法は、建物等の構築物の構築又は補修時に構築物に埋設される給水管の分岐箇所の下流部分に設置され、羽根車等を用いた流量計と、
建物等の構築物の外装から流量計の流水の有無を目視可能にするために、グラスロット又は光ファイバー或いは被覆の付いた光ファイバケーブルによる光伝達具と、流量計の面の像光を光伝達具の一方端に集光するレンズと、他方端から放光するレンズとを備えて、流量計の下流側に付設した止水栓を閉じた状態での流量計の流れの有無を光伝達具とレンズを通じて目視することで漏水管を検知することを特徴としている。
以下図に沿って説明する。
【００１６】
図１は、本発明に係る給水管の漏水検知具の一実施態様を表した図である。まず、全体の構成を説明する。給水管の漏水検知具１００は、建物や地面等に埋設される給水管１０１の分岐部の下流側給水管に流水が通るように取付けられる流量計１１０と、漏水による流量計１１０の中の水流の有無を建物又は地面の外装側から目視するために、光ロット又は光ファイバ或いは被覆の付いた光ファイバケーブルの光伝達具１２０と、この一端に流量計１１０の光像を集光するレンズ１３０Ａと、他端から外装側に放光するレンズ１３０Ｂとを有している。光ファイバの場合には、長さが自在であるので、流量計１１０の位置と外装側とのさまざまな間隔に対応できて好都合である。
【００１７】
次に各部分の詳細について説明する。流量計１１０には、給水管１０１内の流水を受けて回転する計量用羽根車１１１があり、羽根車軸１１２を介して流量計の目視用表示部１１３に備えられ、流水がある場合には回転する回転片１１４と接続されている。これにより、回転片１１４は給水管１０１内を流れる流水に接することなく、計量用羽根車１１１の回転に同期して回転することが可能となる。この時、給水管１０１内の流水を受けて回転する計量用羽根車１１１の動きが目視可能であれば、回転片１１４は必ずしも必要はない。また、羽根車軸１１２は給水管１０１中の流水方向に対して直角に設けても平行に設けても良い。
【００１８】
次に、光伝達具１２０とレンズ１３０Ａ、１３０Ｂの光学系について説明する。
目視用表示部１１３から出た回転片１１４の像の光は、レンズ１３０Ａの焦点距離のところに光ロット又は光ファイバ或いは被覆の付いた光ファイバケーブルの光伝達具１２０の一端を入力端として配置されていて、光伝達具１２０を伝達し、他端を出力端として、焦点距離だけ離れて配置されたレンズ１３０Ｂにより、平行光となって監視者側に放光する。
尚、光伝達具１２０とレンズ１３０Ａ、１３０Ｂは、各々、焦点距離の配置を保持するように筐体１４０Ａ、１４０Ｂに保持されている。尚、筐体１４０Ｂは、建物の壁や床面・地面等１５０に固定される。一方、筐体１４０Ａは、目視用表示部１１３の面に保持される。図では、筐体１４０Ａには、目視用表示部１１３の側面に嵌る鍔部１４１を有している例である。尚、レンズ１３０Ａ、１３０Ｂは、凸レンズであり、光ファイバ又は被覆の付いた光ファイバケーブルは、複数本束ねられた樹脂製の光ファイバであることが望ましい。
【００１９】
図２は、本発明の別の実施態様を表した図である。図１では、光伝達具１２０とレンズ１３０Ａ、１３０Ｂが流量計１１０に常時設置してある態様であった。図２は、流量計１１０は常時設置してあるが、光伝達具１２０とレンズ１３０Ａ、１３０Ｂは、漏水が想定される必要な監視時のみに適用して、常時は設置されていない態様である。それゆえ、建物等の構築物の構築物の外から内部に埋設された流量計１１０部に伝達具１２０とレンズ１３０Ａ、１３０Ｂを挿入しやすいように、この間を連通するガイド管２００を設置してある。ガイド管２００は、一端が流量計１１０の目視用表示部１１３の上に合わせて配置され、他端が建物の壁や床面・地面等１５０に開口部２０１を備えて設置してある。ガイド管２００の開口部２０１には、常時は開口部２０１をふさぐ被せ蓋２０２を被せておく。もし漏水が疑われるときには、開口部２０１に取り付けてある被せ蓋２０２を外して穴の直径よりも細い径で構成された光伝達具１２０とレンズ１３０Ａ、１３０Ｂのユニットを流量計１１０の目視用表示部１１３に隣接する位置まで挿入して回転片１１４の動きを確認することにより、漏水箇所を容易に特定することができる。２−Ｂには、図１で示した伝達具１２０とレンズ１３０Ａ、１３０Ｂに挿入棒２１０が付いたものを示している。挿入棒２１０は、押しことにより、下側のレンズ１３０Ａを納めた筐体１４０Ａを目視用表示部１１３上に押し込み、又引き出すことが容易となる。挿入棒２１０は、取り外し自在で必要時に取り付け可能なほうが都合がよい。取り外し自在の一形態として、筐体１４０Ａには、挿入棒２１０を挿入する穴を設けただけでもよい。穴に挿入棒２１０を入れて押し込めばよい。
２−Ｃでは、伝達具１２０とレンズ１３０Ａ、１３０Ｂが、管状カバー２２０に収容された例である。管状カバー２２０の径は、当然、ガイド管２００内に挿入できるものである。管状カバー２２０を付けた場合は、流量計１１０の場所と建物の壁や床面・地面等の外装１５０との間隔を一定にして、管状カバー２２０をこれに合わせてしまった方が都合がよい。
尚、この時、市販されているファイバースコープ等を用いてもよい。
【００２０】
図３は、敷地内の給水管の分岐部の下流側に漏水検知具１００を適用した漏水部検知の一実施態様を表した図である。もし、漏水が疑われる場合には、給水管の末端の蛇口３００を止水し、それぞれの流量計１１３の回転片１１４の動きの有無を確認する。その時、回転片１１４が微小でも動いていれば、その漏水検知具１００より下流部分で漏水をしていることになり、その中で一番下流部分に設置された流量計１１３を特定することによって分岐単位で容易に漏水箇所を見つけることが可能となる。
従って、少なくとも流量計を構築物の構築又は補修時に構築物に埋設される給水管の分岐箇所の下流部分に設置しておき、給水管での漏水が疑われるときに、流量計の下流側に付設した止水栓を閉じた状態にした後に、光伝達具と二つのレンズのユニットを通じて、
流量計の流れの有無を目視する方法により構築物の外装面から検知することが容易に可能である。
【産業上の利用可能性】
【００２１】
以上のように、本発明は、床下や壁或いは地面の中に設けられた給水管の漏水箇所を低コストで容易に特定することができる水漏れ検知具及びその方法を提供することが可能であるため、産業上の利用性が極めて大きい。
【符号の説明】
【００２２】
１００  漏水検知具
１０１  給水管
１１０  流量計
１１１  計量用羽根車
１１２  羽根車軸
１１３  目視用表示部
１１４  回転片
１２０  光伝達具
１３０Ａ、１３０Ｂ  レンズ
１４０Ａ、１４０Ｂ  筐体
１４１  鍔部
１５０  建物の壁や床面・地面等
２００  ガイド管
２０１  開口部
２０２  被せ蓋
２１０  挿入棒
２２０  管状カバー
３００  蛇口
【図１】
2014106031.tif 000003
【図２】
2014106031.tif 000004
【図３】
2014106031.tif 000005
【図４】
2014106031.tif 000006